(57)【要約】【課題】車両が自動運転で移動する間に、運転者や他の乗員が快適な状況で動画等のコンテンツを視聴することが可能な環境を提供すること。【解決手段】目的地の近傍に到着して手動運転の準備等が必要になる時刻ｔ１３までの間にコンテンツを最後まで視聴できるように、動画再生時間に合わせて自動運転の初期車速を自動的に調整する。更に、自動車の運行中の様々な状況変化に合わせて、自動車の運行速度を随時修正する。法定速度や運行の安全性などを考慮して定めた上限速度と下限速度との間の範囲内で自動運転の設定速度を調整する。予期しない状況変化に対して時間及び走行距離の余裕を持たせるために、最初は設定速度を高くして途中で低速に切り替えるか、又は徐々に設定速度が低下するような走行パターンを採用する。複数の区間のそれぞれに対し独立した設定速度を割り当てる。【選択図】図２
2019158529.tif 000002
【特許請求の範囲】
【請求項１】
自動運転機能を搭載した車両上で、移動先の目的地が指定された場合に、前記自動運転機能を利用して前記目的地の近傍までの走行を制御可能な車載システムであって、
コンテンツを再生する車載機器から目的のコンテンツの再生時間長の情報を取得する再生時間取得部と、
前記目的地の近傍に前記車両が到着するまでの予想運行時間長を算出する運行時間算出部と、
前記再生時間取得部が取得した前記再生時間長と、前記運行時間算出部が算出した前記予想運行時間長とを比較した結果を、少なくとも前記自動運転機能の車速制御に反映し、前記目的地の近傍に前記車両が到着するまでの予想運行時間長を修正する運行時間調整部と、
を備えたことを特徴とする車載システム。
【請求項２】
前記運行時間調整部は、修正前の前記予想運行時間長が前記再生時間長よりも短い場合には、少なくとも前記車両の現在地からの運行開始初期における運行基準速度を標準状態に比べて下げるように自動調整する、
ことを特徴とする請求項１に記載の車載システム。
【請求項３】
前記運行時間算出部は、前記車両の運行状況変化に合わせて前記予想運行時間長を少なくとも定期的に再計算し、
前記運行時間調整部は、前記運行時間算出部による再計算の結果を前記自動運転機能の車速制御に随時反映する、
ことを特徴とする請求項１又は請求項２に記載の車載システム。
【請求項４】
前記運行時間調整部は、ある運行区間で速度規制および渋滞発生が見込まれない場合は、少なくとも法定速度に基づいて定めた上限速度と下限速度との間の範囲内で前記車速制御の基準車速を調整する、
ことを特徴とする請求項１乃至請求項３のいずれか１項に記載の車載システム。
【請求項５】
前記運行時間調整部は、前記車両が現在地から前記目的地に到着するまでの間における前記車速制御の基準車速を、事前に定めたパターン変化に従って更新する、
ことを特徴とする請求項１乃至請求項４のいずれか１項に記載の車載システム。
【請求項６】
前記運行時間調整部は、前記予想運行時間長が前記再生時間長よりも短い場合に、前記車載機器が目的のコンテンツを再生する際の再生速度を調整し、前記再生時間長を変更する、
ことを特徴とする請求項１乃至請求項５のいずれか１項に記載の車載システム。
【発明の詳細な説明】
【技術分野】
【０００１】
本発明は、自動運転機能を搭載した車両上で移動先の目的地が指定された場合に、自動運転機能を利用して目的地の近傍までの走行を制御可能な車載システムに関し、特に車両上で乗員が動画などのコンテンツを視聴するための技術に関する。
【背景技術】
【０００２】
例えば、特許文献１の移動体用コンテンツ再生装置は、移動体が目的地に到着する時間に合わせてコンテンツの再生を終了させる技術を示している。具体的には、ナビゲーション部が自動車の到着予想時間を算出する。メディアプレーヤ部は、コンテンツ再生部と、到着予想時間とコンテンツの標準再生時間とに基づいてコンテンツの再生速度を設定する再生速度判断部とを有する。再生速度判断部は、到着予想時間よりも標準再生時間の方が長い場合に、再生終了時間が到着予想時間以内となるように、再生速度を標準速度よりも速める。
【０００３】
また、特許文献２の車載用コンテンツ再生装置は、車両の乗員構成に合わせたコンテンツの再生をユーザに提案するための技術を示している。具体的には、制御部が乗員構成検出部で検出した車両の乗員構成に基づいて同乗者の有無を判定し、同乗者がいると判定したときには音楽コンテンツ及び映像コンテンツの両方の情報をコンテンツリストにして表示装置で表示し、同乗者がいないと判定したときには音楽コンテンツの情報のみを表示装置で表示する。また、制御部は目的地までの走行予想時間を演算し、再生時間が走行予想時間よりも短いコンテンツの情報をコンテンツリストにして表示装置で表示する。
【０００４】
また、特許文献３のコンテンツ再生システムは、電車内で乗客にコンテンツを提供するための技術を示している。具体的には、列車運行管理システムから取得した運行情報に基づき、コンテンツの再生リストを生成し、これに基づいてコンテンツを提供する。再生リストは次の駅の到着時間に基づき、コンテンツ再生時間と既に提供した回数を考慮して作成する。このため、コンテンツ再生中の中断を防ぐことで、乗客の不快感を低減できる。コンテンツが再生される機会が増加することで、広告媒体としての価値を向上できる。
【０００５】
また、特許文献４の車両用情報表示装置は、停止時間に合わせて適切な長さのコンテンツを表示できるようにする技術を示している。具体的には、車両が信号機の表示にしたがって停車されるときの停止時間が予測される。選択されたコンテンツは予測された停止時間の長さと対応するように再構成される。再構成されたコンテンツが表示画面に表示される。
【先行技術文献】
【特許文献】
【０００６】
【特許文献１】特開２００６−３１８９８号公報
【特許文献２】特開２００６−１３３００６号公報
【特許文献３】特開２０１０−２５３９７９号公報
【特許文献４】特開２０１１−２０８９８４号公報
【発明の概要】
【発明が解決しようとする課題】
【０００７】
自動車の製造業においては、自動車のアクセル操作、ブレーキ操作、ステアリング操作などの運転操作の一部分を自動化する技術や、ほとんど全ての運転操作を乗員の代わりにコンピュータを含むシステムが自動的に実施するような自動運転の技術開発が進められている。
【０００８】
例えば、アクセル操作、ブレーキ操作、およびステアリング操作の全てを運転者の代わりにシステムが制御し、運転者に監視義務が生じていないような場合には、自動車の移動中であっても運転者は運転操作から解放される。そのため、自動車の移動中に運転者が再生時間の長い映画などのコンテンツを鑑賞したり、移動空間を楽しむことが可能になる。
【０００９】
一方、コンテンツの再生時間の長さはコンテンツ毎に異なる。また、自動車が目的地に到着するまでの残り時間の長さも現在位置と目的地との位置関係に応じて変化する。したがって、再生時間長が到着までの残り時間より長い場合には、コンテンツの再生が終了する前に自動車が目的地に到着するので、運転者は自動車の移動中にコンテンツを最後まで視聴することができず不満を感じることになる。
【００１０】
そのため、例えば特許文献１に示されているように、再生終了時間が到着予想時間以内となるように、コンテンツの再生速度を標準速度よりも速めることが考えられる。しかしながら、再生速度を大きく変更すると、コンテンツの視聴の際に運転者が音質などに違和感を覚える可能性がある。また、到着予想時間はあくまでも予想であるので、計算の誤差や、道路状況の変化、渋滞の発生などに伴って大きく変動する可能性がある。そのため、コンテンツの再生速度を調整しても、自動車の移動中にコンテンツの視聴が終了しなかったり、逆にコンテンツの視聴が終了してから目的地に到着するまでの残り時間が長すぎるような状況の発生も考えられる。
【００１１】
本発明は、上述した事情に鑑みてなされたものであり、その目的は、車両が自動運転で移動する間に、運転者や他の乗員が快適な状況で動画等のコンテンツを視聴することが可能な車載システムを提供することにある。
【課題を解決するための手段】
【００１２】
前述した目的を達成するために、本発明に係る車載システムは、下記（１）〜（６）を特徴としている。
（１）  自動運転機能を搭載した車両上で、移動先の目的地が指定された場合に、前記自動運転機能を利用して前記目的地の近傍までの走行を制御可能な車載システムであって、
コンテンツを再生する車載機器から目的のコンテンツの再生時間長の情報を取得する再生時間取得部と、
前記目的地の近傍に前記車両が到着するまでの予想運行時間長を算出する運行時間算出部と、
前記再生時間取得部が取得した前記再生時間長と、前記運行時間算出部が算出した前記予想運行時間長とを比較した結果を、少なくとも前記自動運転機能の車速制御に反映し、前記目的地の近傍に前記車両が到着するまでの予想運行時間長を修正する運行時間調整部と、
を備えたことを特徴とする車載システム。
【００１３】
上記（１）の構成の車載システムによれば、前記運行時間調整部が前記再生時間長と前記予想運行時間長との比較結果を前記自動運転機能の車速制御に反映するので、目的地に車両が到着するまでの予想運行時間長を修正することができる。したがって、目的のコンテンツの再生が終了するのとほぼ同時刻に、車両が目的地に到着するように制御することも可能である。しかも、コンテンツの再生速度に変更を加える必要がないので、コンテンツの視聴の際に違和感が発生するのを避けることができる。
【００１４】
（２）  前記運行時間調整部は、修正前の前記予想運行時間長が前記再生時間長よりも短い場合には、少なくとも前記車両の現在地からの運行開始初期における運行基準速度を標準状態に比べて下げるように自動調整する、
ことを特徴とする上記（１）に記載の車載システム。
【００１５】
上記（２）の構成の車載システムによれば、自車両が現在地から目的地に到着するまでの間の平均的な走行速度が標準状態に比べて下がるので、前記予想運行時間長が長くなる。その結果、修正後の前記予想運行時間長を前記再生時間長に近づけることができ、目的のコンテンツの再生が終了するのとほぼ同時刻に、自車両が目的地に到着するように制御することが可能である。
【００１６】
（３）  前記運行時間算出部は、前記車両の運行状況変化に合わせて前記予想運行時間長を少なくとも定期的に再計算し、
前記運行時間調整部は、前記運行時間算出部による再計算の結果を前記自動運転機能の車速制御に随時反映する、
ことを特徴とする上記（１）又は（２）に記載の車載システム。
【００１７】
上記（３）の構成の車載システムによれば、車両の運行状況に様々な変化が発生する場合であっても、前記予想運行時間長を随時修正し、その結果を車速制御に反映することができる。したがって、例えば予期しない道路の渋滞などの影響で運行時間の予測に大きな誤差が発生する場合であっても、目的のコンテンツの再生が終了するのとほぼ同時刻に、自車両が目的地に到着するように制御することが可能である。
【００１８】
（４）  前記運行時間調整部は、ある運行区間で速度規制および渋滞発生が見込まれない場合は、少なくとも法定速度に基づいて定めた上限速度と下限速度との間の範囲内で前記車速制御の基準車速を調整する、
ことを特徴とする上記（１）乃至（３）のいずれかに記載の車載システム。
【００１９】
上記（４）の構成の車載システムによれば、前記車速制御の基準車速、すなわち車両の走行速度を、前記上限速度と下限速度との間の範囲内で必要に応じて調整できるので、前記予想運行時間長の修正の自由度が高くなる。その結果、目的のコンテンツの再生が終了するのとほぼ同時刻に、車両が目的地に到着するように制御することが容易になる。
【００２０】
（５）  前記運行時間調整部は、前記車両が現在地から前記目的地に到着するまでの間における前記車速制御の基準車速を、事前に定めたパターン変化に従って更新する、
ことを特徴とする上記（１）乃至（４）のいずれかに記載の車載システム。
【００２１】
上記（５）の構成の車載システムによれば、前記車速制御の基準車速を、事前に定めたパターン変化に従って更新するので、目的のコンテンツの再生が終了するのとほぼ同時刻に、車両が目的地に到着するための制御の精度を上げることが可能である。例えば、走行速度を走行距離に応じて徐々に低下させるような制御パターンを採用する場合には、コンテンツの再生開始から早い時期に走行距離を稼ぎ時間的な余裕を確保できる。これにより、目的地に到着するまでの間に速度規制や渋滞などの予期しない事象が発生した場合でも、目的のコンテンツの再生が終了するのとほぼ同時刻に、車両が目的地に到着するように制御することが容易になる。
【００２２】
（６）  前記運行時間調整部は、前記予想運行時間長が前記再生時間長よりも短い場合に、前記車載機器が目的のコンテンツを再生する際の再生速度を調整し、前記再生時間長を変更する、
上記（１）乃至（５）のいずれかに記載の車載システム。
【００２３】
上記（６）の構成の車載システムによれば、前記再生時間長を変更できるので、前記予想運行時間長の調整可能範囲が比較的狭い場合であっても、目的のコンテンツの再生が終了するのとほぼ同時刻に、車両が目的地に到着するように制御することが容易になる。また、車両の走行速度の調整と、コンテンツの再生速度の調整とを組み合わせる場合には、再生速度を大きく変更する必要がないので、視聴時の違和感の発生を抑制できる。
【発明の効果】
【００２４】
本発明の車載システムによれば、車両が自動運転で移動する間に、運転者や他の乗員が快適な状況で動画等のコンテンツを視聴することが可能になる。すなわち、目的のコンテンツの再生が終了するのとほぼ同時刻に、車両が目的地に到着するように制御することが可能である。
【００２５】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２６】
【図１】図１は、車載システムの主要部の構成例を示すブロック図である。
【図２】図２は、自動運転で走行する自動車の位置および状態とコンテンツの再生状態との関連の具体例を示すタイムチャートである。
【図３】図３は、自動車の４種類の走行パターンを示すグラフである。
【図４】図４は、自動運転で走行する自動車の想定される車速変化および実際の車速変化の例を示すグラフである。
【図５】図５は、複数区間のそれぞれで車速を定める場合に特徴的な制御を実施するための基本計算式および条件式を表す模式図である。
【図６】図６は、自動運転で走行する自動車が特徴的な制御を実施する場合の動作例−１を示すフローチャートである。
【図７】図７は、自動運転で走行する自動車が特徴的な制御を実施する場合の動作例−２を示すフローチャートである。
【図８】図８は、自動運転で走行する自動車が特徴的な制御を実施する場合の動作例−３を示すフローチャートである。
【発明を実施するための形態】
【００２７】
本発明に関する具体的な実施形態について、各図を参照しながら以下に説明する。
【００２８】
＜車載システムの主要部の構成例＞
車載システム１００の主要部の構成例を図１に示す。この車載システム１００は、自動車を自動運転するための機能と、動画などのコンテンツの再生を管理する機能と、コンテンツの再生と自動運転とを連携する機能を含んでいる。
【００２９】
図１に示した車載システムは、自動車を自動運転するために必要な構成要素として、自動運転制御部１０、無線通信機器１１、道路地図データベース（ＤＢ）１２、位置検出部１３、車載カメラ１４、レーダ１５、アクセル制御部１６、ブレーキ制御部１７、および操舵制御部１８を備えている。
【００３０】
無線通信機器１１は、無線通信により車両外部の所定のサーバと接続することにより、自車両が現在走行している道路の進行方向前方の各地点における天候の情報や交通情報などを取得することができる。無線通信機器１１が取得した天候の情報や交通情報などが、入力情報ＳＧ１１として自動運転制御部１０に入力される。
【００３１】
道路地図データベース１２は、自車両が現在走行している道路を含む広範囲の道路地図や、この道路に関連する様々な情報を予め蓄積し保持している。道路地図データベース１２が保持している地図などの情報が入力情報ＳＧ１２として自動運転制御部１０に入力される。
【００３２】
位置検出部１３は、例えばＧＰＳ（Global Positioning System）の衛星などの電波を受信して利用することにより、自車両の現在位置を表す最新の位置情報を算出することができる。この位置情報が、入力情報ＳＧ１３として自動運転制御部１０に入力される。
【００３３】
車載カメラ１４は、自車両の進行方向前方、後方、側方などの周辺のそれぞれの状況を表す映像を撮影し、映像信号を出力することができる。この映像信号が入力情報ＳＧ１４として自動運転制御部１０に入力される。
【００３４】
レーダ１５は、例えばミリ波などの電波を用いた探知機能により、先行車両などの障害物の有無や、先行車両と自車両との車間距離などを検出することができる。レーダ１５の検出した情報が、入力情報ＳＧ１５として自動運転制御部１０に入力される。
【００３５】
アクセル制御部１６は、自車両のアクセル開度を自動的に調整するために必要な電気的に制御可能なアクチュエータを備えている。自動運転制御部１０が出力する制御命令ＳＧ１６に従って、アクセル制御部１６はアクセル開度を調整できる。
【００３６】
ブレーキ制御部１７は、自車両のブレーキ機構に連結された電気的に制御可能なアクチュエータを備えている。自動運転制御部１０が出力する制御命令ＳＧ１７に従って、ブレーキ制御部１７は自車両のブレーキのオンオフや制動力を制御できる。
【００３７】
操舵制御部１８は、自車両の操舵機構に連結された電気的に制御可能なアクチュエータを備えている。自動運転制御部１０が出力する制御命令ＳＧ１８に従って、操舵制御部１８は自車両の操舵機構を動かしたり、運転者の操舵力を補助するための助勢トルクを発生することができる。
【００３８】
自動運転制御部１０は、自動車の自動運転の制御を行うための電子制御ユニット（ＥＣＵ）であって、例えば日本政府や米国運輸省道路交通安全局(NHTSA)が規定している自動化レベルのレベル２（ＬＶ２）やレベル３（ＬＶ３）の自動運転に対応する機能を搭載している。なお、自動車の操舵を運転者が実施し、車速だけを自動運転制御部１０が自動制御する場合でも本発明は実施できる。
【００３９】
自動運転機能のレベル２では、車両の加速、操舵、制動のうち複数の操作をシステムが自動的に実施する。但し、レベル２では、運転者は常時、運転状況を監視して必要に応じて運転操作を実施する必要がある。
【００４０】
一方、レベル３では、車両の加速、操舵、制動の制御を全てシステムが実施するので、通常は運転者は運転の状況を監視するだけでよい。また、必ずしも運転者が状況を監視する必要はない。但し、レベル３の場合であっても、緊急時やシステムの精度が低下する場合にシステムが要請したときは、この要請に運転者が応じる必要がある。つまり、運転の責任をシステムから運転者の手動操作にハンドオーバして、レベル３からそれよりも自動化率の低いレベル２などに移行する必要がある。また、同じレベル内でも、自車両の自動運転中に、ステアリングホイールに手を添える、運転者が監視義務を負う、ウィンカー操作を起点とした車線変更の開始、システムの判断に対する運転者の承認などの運転者の補助が不要な走行状態から、これらのいずれかの補助が必要な走行状態に移行する場合もある。つまり、運転制御が自動で実行される第１状態から、当該第１状態よりも運転者による運転制御への関与の度合いが大きい第２状態に移行する場合がある。
【００４１】
自動運転制御部１０は、制御命令ＳＧ１６を利用してアクセル制御部１６に指示を与えることにより自車両の加速制御を行うことができる。また、自動運転制御部１０は、制御命令ＳＧ１７を利用してブレーキ制御部１７に指示を与えることにより自車両の制動制御を行うことができる。また、自動運転制御部１０は制御命令ＳＧ１８を利用して操舵制御部１８に指示を与えることにより、自車両の操舵制御を行うことができる。
【００４２】
また、自動運転制御部１０は車載カメラ１４の映像を解析することにより、走行レーン境界の各白線や自車両の左右方向の位置を把握して、左右方向の適切な自車両の位置を算出したり、前方の道路のカーブの状況などを把握できる。したがって、自動運転制御部１０は例えば自車両が道路上の走行レーンの中央位置を走行するように自動的に制御する車線維持補助機能を実現できる。
【００４３】
また、自動運転制御部１０は車載カメラ１４の映像を解析した結果や、レーダ１５が検出した先行車両の位置や距離情報に基づいて、例えば先行車両と自車両との間の車間距離が安全な範囲内に維持されるように加速及び減速を自動的に実施することができる。つまり、ＡＣＣ（Adaptive Cruse Control System）を実現できる。
【００４４】
また、自動運転制御部１０は、事前に定めた目標地点、位置検出部１３が検出した現在位置、道路地図データベース１２の道路地図、無線通信機器１１が取得した交通情報などに基づいて、自車両が走行すべき道路上の適切な走行経路を算出したり、この先の道路状況の変化を予測することができる。また、車載カメラ１４の実際の映像の解析結果を反映することにより、予測精度を上げることもできる。
【００４５】
また、自動運転制御部１０は、運転者のスイッチ操作等により発生する自動／手動切替指示を受け付けて、あるいは運転者による手動運転操作の開始を検知することにより、レベル３からそれよりも自動化率の低いレベル２などに移行するためのハンドオーバを実施することができる。
【００４６】
また、自動運転制御部１０は、車載カメラ１４の映像の解析結果や、レーダ１５が検出した距離情報などに基づいて、安全の確保が難しい状況を検出することができる。例えば、自車両とその近傍に存在する他車両とが接触する可能性のある時刻までの残り時間ＴＴＣ（Time To Collision）等に基づいて時間余裕を把握することにより、安全の確保が難しいような状況を検出できる。時間ＴＴＣは、例えば次式により算出できる。
ＴＴＣ＝（自車両と対象物との間の距離）／（相対速度）
したがって、自動運転制御部１０は、安全の確保が難しい状況を検知した場合には、運転者に対してハンドオーバを要求する。
【００４７】
操作部２１は、例えばタッチパネルや音声入力認識などのデバイスを用いて運転者の入力操作を受け付けることができる。本実施形態では、自車両の行き先である目的地を特定する目的地情報ＳＧ２１と、自車両の走行速度の指定値を表す設定車速情報ＳＧ２２と、自車両が目的地に到着するまでの時間の長さを表す旅行時間情報ＳＧ２３とを運転者が操作部２１に入力できる場合を想定している。
【００４８】
コンテンツ管理部２２は、例えば映画のように再生時間の長い動画を含む様々な種類のコンテンツの再生等を管理する機能を有している。なお、コンテンツ管理部２２が再生するコンテンツのデータについては、車両上の記憶装置に予め蓄積しておいてもよいし、無線通信を利用して車両外部のサーバから取得してもよい。
【００４９】
コンテンツ管理部２２が再生するコンテンツの映像は、表示出力デバイス２３に出力される。表示出力デバイス２３は、例えば車両に搭載されているメータユニットやセンターディスプレイのように、この車両を運転席で運転している乗員が容易に視認可能な位置に配置されている表示機器である。また、コンテンツ管理部２２が再生するコンテンツの音声は、車内に設置されたスピーカなどの音出力デバイス２４に出力される。
【００５０】
旅行時間管理部２５は、操作部２１から入力される旅行時間情報ＳＧ２３と、自動運転制御部１０から入力される残区間距離情報ＳＧ２４と、コンテンツ管理部２２から入力される残り時間情報ＳＧ２５とに基づいて、設定車速情報ＳＧ２６を生成する。旅行時間管理部２５が出力する設定車速情報ＳＧ２６は、自動運転中の様々な状況の変化を反映して定期的に変動する場合がある。旅行時間管理部２５における具体的な制御の内容については、後で詳細に説明する。
【００５１】
車速設定部２６は、操作部２１から入力される設定車速情報ＳＧ２２と、旅行時間管理部２５から入力される設定車速情報ＳＧ２６とに基づいて決定した設定車速情報ＳＧ２７を自動運転制御部１０に出力する。車速設定部２６が設定車速情報ＳＧ２７を決定する際には、運転者が指定した設定車速情報ＳＧ２２と、運転者が指定した旅行時間情報ＳＧ２３と、コンテンツ管理部２２が再生するコンテンツの終了までの残り時間情報ＳＧ２５とのいずれかを優先するように必要に応じて切り替えることができる。
【００５２】
＜車両の状態とコンテンツとの関連の具体例＞
自動運転で走行する自動車の位置および状態とコンテンツの再生状態との関連の具体例を図２に示す。
【００５３】
図２に示した例では、時刻ｔ１１において運転者の指定した設定車速情報ＳＧ２２に従い、１００［ｋｍ／ｈ］の車速を基準として制御するように、自動運転制御部１０が自動運転の走行を開始している。また、その後の時刻ｔ１２において、コンテンツ管理部２２が運転者の指定した動画のコンテンツ再生を開始している。
【００５４】
また、時刻ｔ１１で決定された１００［ｋｍ／ｈ］の車速に従って目的地まで自動運転を継続する場合には、時刻ｔ１４で目的地に到着して自動運転が終了することが想定される。また、実際には目的地に到着する少し手前の時刻ｔ１３でハンドオーバ（Ｈ／Ｏ）要求が発生し、自動運転から手動運転に切り替える必要があるので、運転者がコンテンツの視聴を継続できる区間は時刻ｔ１３までとなる。
【００５５】
また、図２の例では、時刻ｔ１２からｔ１３の間の区間の残り走行距離が９０［ｋｍ］、再生するコンテンツの再生時間長が６０分の場合を想定している。したがって、コンテンツの視聴が終了する予定は時刻ｔ１３から６分間を経過した後の時刻ｔ１５であり、車速が１００［ｋｍ／ｈ］で一定の場合は、運転者が手動運転を開始する時刻ｔ１３までの間に、運転者がコンテンツを最後まで視聴することはできない。これにより、運転者が不満を感じることになる。
【００５６】
そこで、図１に示した車載システム１００においては、コンテンツの視聴に関する運転者の不満を解消するために、旅行時間管理部２５が、例えば図２に示した各ステップＳ０１、Ｓ０２の少なくとも一方を実施する。
【００５７】
ステップＳ０１の処理では、コンテンツの再生を開始する時刻ｔ１２の近傍で、旅行時間管理部２５が、コンテンツの再生時間長（６０分）に合わせて設定車速情報ＳＧ２６を９０［ｋｍ／ｈ］に自動調整する。これにより、自動運転制御部１０は車速の基準値を９０［ｋｍ／ｈ］に変更して自動運転を継続する。
【００５８】
ステップＳ０２の処理では、時刻ｔ１２〜ｔ１３の間で、旅行時間管理部２５が随時、設定車速情報ＳＧ２６を自動調整する。すなわち、様々な状況の変化に適応して結果を最適化するように例えば定期的に調整する。具体的には、道路の混雑により実際の車速が基準値に比べて低下することが見込まれる。また、目的地までの全区間で法定速度が同一であるとは限らない。また、渋滞予測や規制情報に基づいて通過経路を変更したり、経路の途中で予定に休憩を追加する場合もある。更に、コンテンツの再生において、早送りや巻き戻しが行われる可能性もある。このような変化をＳ０２で定期的に検出し、手動運転が必要になる予定時刻と、コンテンツの再生が終了する時刻とがほぼ同じになるように、設定車速情報ＳＧ２６を修正する。
【００５９】
＜自動運転の場合の設定車速の具体的な決定方法＞
ある予定区間ｘを自動車が自動運転で走行する場合に、自動運転制御部１０が制御の基準値とする設定車速ＳＰ＿ｘは、以下のように定めることが望ましい。
【００６０】
（ａ）区間ｘで速度規制や渋滞等の速度変動要因がない場合は、次の第（１）式のように、設定車速ＳＰ＿ｘは下限速度ＶＬと上限速度ＶＵとの間の範囲内で変動しうる値とする。
ＶＬ ≦ ＳＰ＿ｘ ≦ ＶＵ      ・・・（１）
ＶＵ：この上限速度は法定最高速度、又は自動運転システムが対応可能な最高速度に定める。
ＶＬ：この下限速度は法定下限速度、又は「法定最高速度−β」とする。定数βは、下限速度が遅すぎて危険な走行状態にならないように考慮して定める。
【００６１】
（ｂ）区間ｘで速度規制や渋滞等の速度変動要因が見込まれる場合は、工事・渋滞等による規制の上限速度、渋滞情報に基づく予測速度、天候不良等の影響を受ける場合の自動運転が可能な制限速度のように想定される制限速度に、設定車速ＳＰ＿ｘを固定する。このようにする理由は、規制等で制限された制限速度よりも低い速度で自動運転を行うと、後続車両など周囲の他の車の交通の流れを乱す要因となり、危険な交通状況を誘発したり、自車両および他車両の運転者をいらいらさせる原因にもなるためである。
【００６２】
＜走行パターンの具体例＞
自動車が自動運転で走行する場合に想定される代表的な４種類の走行パターンＰＴ１、ＰＴ２Ａ、ＰＴ２Ｂ、およびＰＴ２Ｃを図３に示す。すなわち、出発点から終点までの間の走行距離の変化に伴う走行速度の変化パターンを示してある。
【００６３】
ＰＴ１：出発点と終点との間の区間の全体を平均的な一定の速度、例えば９０［ｋｍ／ｈ］で走行する。
ＰＴ２Ａ：出発点では比較的速度が高く、出発点から終点にかけて徐々に速度を低下させるように走行する。
ＰＴ２Ｂ：出発点から中間地点Ｐ１までは比較的速度が高く、中間点Ｐ１で低速、例えば８０［ｋｍ／ｈ］に切り替えてそのままの速度で終点まで走行する。
ＰＴ２Ｃ：出発点から中間地点Ｐ１までは比較的速度が高く、中間点Ｐ１から終点にかけて徐々に速度を低下させるように走行する。
【００６４】
自動車が比較的長い区間を走行する場合には、予期しない状況が発生する可能性が高く、途中の道路状況に合わせて減速が必要になることが見込まれる。また、道路の各区間の最高速度が途中で変わったり、渋滞等が発生する場合もある。したがって、図２のステップＳ０２のような制御を旅行時間管理部２５が実施する場合には、走行パターンＰＴ１よりも、他の走行パターンＰＴ２Ａ、ＰＴ２Ｂ、およびＰＴ２Ｃを採用した方が、変化が発生するまでの間に時間及び走行距離の余裕を増やすことができ、好ましい制御結果が得られる。特に、走行パターンＰＴ２Ｂは効果的である。
【００６５】
＜想定される車速変化と実際の車速変化の具体例＞
自動運転で走行する自動車の想定される車速変化および実際の車速変化の例を図４に示す。
【００６６】
自動車を運転する場合には安全運転が最優先されるので、自動運転を実施する場合であっても、事前に決定した車速で常に同じように走行できるわけではない。図４に示した例では、出発点から中間地点Ｐ１までの区間は１００［ｋｍ／ｈ］の速度で走行し、中間地点Ｐ１から終点までの区間は８０［ｋｍ／ｈ］の速度で走行する場合を想定している。しかし、実際には途中の地点Ｐ０付近で速度の遅い先行車両の影響を受けたため、一時的に速度が低下している。
【００６７】
このような地点Ｐ０における想定外の速度低下が発生した場合であっても、図４に示すように設定車速［ｋｍ／ｈ］を１００から８０に切り替える地点を、中間地点Ｐ１から少し先の地点Ｐ２に修正することにより、自車両が終点に到着する時刻が予定と変わらないように制御できる。
【００６８】
＜特徴的な制御の基本計算式および条件式＞
複数区間のそれぞれで車速を定める場合に本発明の特徴的な制御を実施するための基本計算式および条件式を図５に示す。
【００６９】
現在地点と終了地点との間が長距離の場合には、例えば道路の区間毎に制限速度が変化する可能性があるので、図５に示すように区間１、区間２、・・・、区間Ｎ−１、区間Ｎのそれぞれについて、自動運転のための設定車速ＳＰ＿１、ＳＰ＿２、・・・、ＳＰ＿Ｎ−１、ＳＰ＿Ｎを個別に定める必要がある。なお、図５中の「終了地点」は、レベル３の自動運転の場合はハンドオーバの通知（要求）が発生する地点、レベル４以上の自動運転の場合は自動運転が終了する地点に相当する。
【００７０】
このような状況において、図５中の「終了地点」でコンテンツの再生が終了するためには、図５中の基本計算式ＥＱ１に基づいて各区間の設定車速ＳＰ＿１〜ＳＰ＿Ｎを算出する必要がある。つまり、区間毎に距離と設定速度から算出される時間の総和が動画再生時間長Ｔ０と一致するように制御する必要がある。
【００７１】
また、図５中の「終了地点」でコンテンツ再生が終了するように制御できるのは、図５中の条件式ＥＱ２の条件を満たす場合のみである。つまり、通常は各区間の設定車速を上限速度と下限速度との間の範囲で調整できるので、基本計算式ＥＱ１が成立するように調整できる可能性があるが、この調整範囲を外れる状況においては基本計算式ＥＱ１が成立しない。したがって、基本計算式ＥＱ１に基づく自動運転の速度制御を実施する場合には、図５中の条件式ＥＱ２の条件を満たすか否かを確認する必要がある。
【００７２】
＜具体的な動作例−１＞
自動運転で走行する自動車が特徴的な制御を実施する場合の動作例−１を図６に示す。すなわち、図５に示した複数区間の区間数Ｎが２の場合に、図５中の「終了地点」でコンテンツの再生を終了させるための旅行時間管理部２５等の動作例が図６に示されている。
【００７３】
旅行時間管理部２５は、必要な情報を取得して最初に図５中の条件式ＥＱ２の条件を満たすか否かを確認する（Ｓ１１）。条件式ＥＱ２の条件を満たす場合は、１番目の区間の上限速度ＶＵ１を１番目区間の設定車速ＳＰ＿１に定め（Ｓ１２）、基本計算式ＥＱ１から２番目区間の設定車速ＳＰ＿２を仮に算出する（Ｓ１３）。
【００７４】
更に、旅行時間管理部２５は、Ｓ１３で算出した設定車速ＳＰ＿２をこの区間の下限速度ＶＬ２と比較し（Ｓ１４）、この条件を満たす場合はＳ１７に進み、条件を満たさない場合はＳ１５に進む。
【００７５】
旅行時間管理部２５は、Ｓ１５で２番目区間の設定車速ＳＰ＿２をこの区間の下限速度ＶＬ２に定めた後、Ｓ１６で基本計算式ＥＱ１から１番目区間の設定車速ＳＰ＿１を算出する。
【００７６】
旅行時間管理部２５はＳ１７で１番目区間の設定車速ＳＰ＿１を確定する。この設定車速ＳＰ＿１は、設定車速情報ＳＧ２６として車速設定部２６に入力され、更に設定車速情報ＳＧ２７として車速設定部２６から自動運転制御部１０に入力される。
【００７７】
１番目の区間の走行が継続している間は、旅行時間管理部２５はＳ１９で一定時間だけ待機した後、再び上記の処理を実行する。つまり、同じ処理を定期的に繰り返すことにより、例えば図４に示した地点Ｐ０における想定外の速度変化などにも対応し高精度の制御結果を得ることができる。
【００７８】
また、１番目の区間が終了して２番目の区間に移ると、旅行時間管理部２５はＳ１８からＳ２０の処理に進み、２番目の区間についても基本計算式ＥＱ１の条件を満たすように設定車速ＳＰ＿２の調整を繰り返す。
【００７９】
一方、条件式ＥＱ２の条件を満たさない場合は、Ｓ１１からＳ２１に進み、旅行時間管理部２５は総走行時間と動画再生時間長Ｔ０とを比較する。Ｓ２１の条件を満たす場合はＳ２２に進み、動画の再生速度を微調整するように、旅行時間管理部２５がコンテンツ管理部２２に対して指示する。すなわち、動画の再生速度を例えば数パーセント程度速くすることにより、動画の視聴者に対して違和感を感じさせることなく、動画再生時間長Ｔ０を短縮し、Ｓ１１で条件式ＥＱ２の条件を満たすように状況を変えることができる。
【００８０】
また、Ｓ２１の条件を満たさない場合はＳ２３に進み、旅行時間管理部２５は運転者に対して時間調整を提案する。具体的には、「終了地点」までの走行区間の途中で休憩を実施することを勧めるメッセージを表示や音声で出力する。また、現在視聴中の動画が終了した後で、別の動画を再生することを勧めるメッセージを表示や音声で出力する。また、別の動画を早送り再生で視聴することを勧めるメッセージを表示や音声で出力する。
【００８１】
ところで、現在地点と終了地点との間で長い距離を走行する場合には、途中で渋滞などの予期しない状況が発生する可能性がある。また、そのような状況では、途中から条件式ＥＱ２の条件を満たさなくなる可能性が高くなる。そこで、例えば図３に示した走行パターンＰＴ２Ｂを採用し、設定速度を途中で切り替えることで早い段階で走行距離を稼ぐことができる。これにより、途中で渋滞などが発生しても、条件式ＥＱ２の条件を満たさなくなる可能性を減らすことができる。
【００８２】
そのため、図６に示した動作例−１においては、１番目の区間の設定車速ＳＰ＿１を設定車速ＳＰ＿２よりも優先し、設定車速ＳＰ＿１が上限速度ＶＵ１になるようにＳ１２で定めた上で、２番目の区間の設定車速ＳＰ＿２をＳ１３で算出している。但し、設定車速ＳＰ＿２が下限速度ＶＬ２を下回る場合は、安全を確保するためにＳ１５で設定車速ＳＰ＿２を下限速度ＶＬ２に定めた上で、設定車速ＳＰ＿１をＳ１６で再計算している。
【００８３】
＜具体的な動作例−２＞
自動運転で走行する自動車が特徴的な制御を実施する場合の動作例−２を図７に示す。すなわち、図５に示した複数区間の区間数Ｎが３の場合に、図５中の「終了地点」でコンテンツの再生を終了させるための旅行時間管理部２５等の動作例が図７に示されている。
【００８４】
旅行時間管理部２５は、必要な情報を取得して最初に図５中の条件式ＥＱ２の条件を満たすか否かを確認する（Ｓ３１）。条件式ＥＱ２の条件を満たす場合は、１番目および２番目の各区間の上限速度ＶＵ１、ＶＵ２を各区間の設定車速ＳＰ＿１、ＳＰ＿２に定める（Ｓ３２）。そして、基本計算式ＥＱ１から３番目区間の設定車速ＳＰ＿３を仮に算出する（Ｓ３３）。
【００８５】
更に、旅行時間管理部２５は、Ｓ３３で算出した設定車速ＳＰ＿３をこの区間の下限速度ＶＬ３と比較し（Ｓ３４）、この条件を満たす場合はＳ４０に進み、条件を満たさない場合はＳ３５に進む。
【００８６】
旅行時間管理部２５は、Ｓ３５で１番目区間の設定車速ＳＰ＿１をこの区間の上限速度ＶＵ１に仮に定め、３番目区間の設定車速ＳＰ＿３をこの区間の下限速度ＶＬ３に定めた後、Ｓ３６で基本計算式ＥＱ１から２番目区間の設定車速ＳＰ＿２を算出する。
【００８７】
更に、旅行時間管理部２５は、Ｓ３６で算出した設定車速ＳＰ＿２をこの区間の下限速度ＶＬ２と比較し（Ｓ３７）、この条件を満たす場合はＳ４０に進み、条件を満たさない場合はＳ３８に進む。
【００８８】
旅行時間管理部２５は、Ｓ３８で２番目区間の設定車速ＳＰ＿２をこの区間の下限速度ＶＬ２に仮に定め、３番目区間の設定車速ＳＰ＿３をこの区間の下限速度ＶＬ３に定めた後、Ｓ３９で基本計算式ＥＱ１から１番目区間の設定車速ＳＰ＿１を算出する。
【００８９】
旅行時間管理部２５はＳ４０で１番目区間の設定車速ＳＰ＿１を確定する。この設定車速ＳＰ＿１は、設定車速情報ＳＧ２６として車速設定部２６に入力され、更に設定車速情報ＳＧ２７として車速設定部２６から自動運転制御部１０に入力される。
【００９０】
１番目の区間の走行が継続している間は、旅行時間管理部２５はＳ４２で一定時間だけ待機した後、再び上記の処理を実行する。つまり、同じ処理を定期的に繰り返すことにより、図４に示した地点Ｐ０における想定外の速度変化などにも対応し高精度の制御結果を得ることができる。
【００９１】
また、１番目の区間が終了して２番目の区間に移ると、旅行時間管理部２５はＳ４１からＳ４３の処理に進み、２番目以降の区間についても基本計算式ＥＱ１の条件を満たすように設定車速ＳＰ＿２、およびＳＰ＿３の調整を繰り返す。
【００９２】
一方、条件式ＥＱ２の条件を満たさない場合には、旅行時間管理部２５はＳ３１からＳ４４を通ってＳ４５又はＳ４６の処理に進み、図６に示した前述の動作と同様の処理を実行する。
【００９３】
ところで、現在地点と終了地点との間で長い距離を走行する場合には、途中で渋滞などの予期しない状況が発生する可能性がある。また、そのような状況では、途中から条件式ＥＱ２の条件を満たさなくなる可能性が高くなる。そこで、例えば図３に示した走行パターンＰＴ２Ｂを採用し、設定速度を途中で切り替えることで早い段階で走行距離を稼ぐことができる。これにより、途中で渋滞などが発生しても、条件式ＥＱ２の条件を満たさなくなる可能性を減らすことができる。
【００９４】
そのため、図７に示した動作例−２においては、１番目および２番目の区間の設定車速ＳＰ＿１、ＳＰ＿２を設定車速ＳＰ＿３よりも優先し、各設定車速ＳＰ＿１、ＳＰ＿２が上限速度ＶＵ１、ＶＵ２になるようにＳ３２で定めた上で、３番目の区間の設定車速ＳＰ＿３をＳ３３で算出している。但し、設定車速ＳＰ＿３が下限速度ＶＬ３を下回る場合は、安全を確保するためにＳ３５で設定車速ＳＰ＿３を下限速度ＶＬ３に定め、設定車速ＳＰ＿１を上限速度ＶＵ１に定めた上で、設定車速ＳＰ＿２をＳ３６で再計算している。
【００９５】
更に、Ｓ３６で算出した設定車速ＳＰ＿２が下限速度ＶＬ２を下回る場合は、安全を確保するためにＳ３８で各設定車速ＳＰ＿２、ＳＰ＿３を下限速度ＶＬ２、ＶＬ３に定めた上で、設定車速ＳＰ＿１をＳ３９で再計算している。
【００９６】
＜具体的な動作例−３＞
自動運転で走行する自動車が特徴的な制御を実施する場合の動作例−３を図８に示す。すなわち、図５に示した複数区間の区間数Ｎが３であって、且つ２番目の区間で渋滞の発生が予想される場合に、図５中の「終了地点」でコンテンツの再生を終了させるための旅行時間管理部２５等の動作例が図８に示されている。なお、図８において図７と同じ動作は同じステップ番号を付けて示してある。
【００９７】
図８中で図７と異なる箇所の動作について以下に説明する。
旅行時間管理部２５は、条件式ＥＱ２の条件を満たす場合は、１番目区間の設定車速ＳＰ＿１をこの区間の上限速度ＶＵ１に定め、２番目区間の設定車速ＳＰ＿１をこの区間の渋滞予測速度Ｖｐ２に定め（Ｓ３２Ｂ）た後、Ｓ３３で基本計算式ＥＱ１から３番目区間の設定車速ＳＰ＿３を仮に算出する。ここでは渋滞予測速度Ｖｐ２は固定値とする。
【００９８】
更に、旅行時間管理部２５は、Ｓ３３で算出した設定車速ＳＰ＿３をこの区間の下限速度ＶＬ３と比較し（Ｓ３４）、この条件を満たす場合はＳ４０に進み、条件を満たさない場合はＳ３８Ｂに進む。
【００９９】
旅行時間管理部２５は、Ｓ３８Ｂで２番目区間の設定車速ＳＰ＿２を渋滞予測速度Ｖｐ２に定め、３番目区間の設定車速ＳＰ＿３をこの区間の下限速度ＶＬ３に定めた後、Ｓ３９で基本計算式ＥＱ１から１番目区間の設定車速ＳＰ＿１を算出し、Ｓ４０に進む。
【０１００】
上記以外の動作は図７の動作と同様である。勿論、２番目の区間を走行する場合には、設定車速ＳＰ＿２を渋滞予測速度Ｖｐ２に定めて自動運転を実行する。つまり、渋滞している区間では、設定速度の上限および下限は考慮せず、周囲の車両の流れを乱さないように、渋滞予測速度Ｖｐ２を基準とする車速で自動運転する。
【０１０１】
＜車載システム１００の利点＞
図１に示した車載システム１００は、例えば図２に示したステップＳ０１の処理を実行することにより、動画などのコンテンツの再生が終了する時刻ｔ１３とほぼ同時刻に手動運転の準備等が必要になるように、車速の調整を自動的に実施することができる。したがって、目的地に到着するまでの間に運転者がコンテンツを最後まで視聴できない状況が発生するのを避けることができ、運転者の不満を解消できる。
【０１０２】
また、車載システム１００が例えば図２に示したステップＳ０２の処理を実行する場合には、道路状況などに様々な変化が発生する場合であっても、動画などのコンテンツの再生が終了する時刻ｔ１３とほぼ同時刻に手動運転の準備等が必要になるように、車速の調整を自動的に実施することができる。
【０１０３】
また、車載システム１００が例えば図３に示した走行パターンＰＴ２Ａ、ＰＴ２Ｂ、ＰＴ２Ｃなどに基づいて自動車の運行速度を自動制御することにより、時間及び走行距離の余裕を持たせることが可能になる。したがって、想定外の渋滞などが発生した場合であっても、動画などのコンテンツの再生が終了する時刻ｔ１３とほぼ同時刻に手動運転の準備等が必要になるように制御できる可能性が高まる。更に、例えば図４に示すように、車載システム１００が設定速度を切り替える地点を必要に応じて修正することにより、予期しない状況の変化にも対応可能になる。
【０１０４】
また、例えば図６に示すように、車載システム１００が各区間の上限速度ＶＵ１および下限速度ＶＬ２を規定することにより、安全な運転状態を維持したまま、車速を適切に調整することが可能になる。
【０１０５】
また、車速の調整だけでは図５の条件式ＥＱ２の条件を満たさない場合であっても、例えば図６に示すＳ２２で動画の再生速度を微調整することにより、調整可能な範囲を広げることができる。したがって、動画などのコンテンツの再生が終了する時刻ｔ１３とほぼ同時刻に手動運転の準備等が必要になるように制御できる。また、動画再生速度の調整範囲を狭い範囲のみに限定することにより、コンテンツの視聴の際に運転者が違和感を覚えるのを防止できる。
【０１０６】
ここで、上述した本発明の実施形態に係る車載システムの特徴をそれぞれ以下［１］〜［６］に簡潔に纏めて列記する。
［１］  自動運転機能を搭載した車両上で、移動先の目的地が指定された場合に、前記自動運転機能を利用して前記目的地の近傍までの走行を制御可能な車載システム（１００）であって、
コンテンツを再生する車載機器（コンテンツ管理部２２）から目的のコンテンツの再生時間長の情報（残り時間情報ＳＧ２５）を取得する再生時間取得部（旅行時間管理部２５）と、
前記目的地の近傍に前記車両が到着するまでの予想運行時間長を算出する運行時間算出部（旅行時間管理部２５、基本計算式ＥＱ１）と、
前記再生時間取得部が取得した前記再生時間長と、前記運行時間算出部が算出した前記予想運行時間長とを比較した結果を、少なくとも前記自動運転機能の車速制御に反映し、前記目的地の近傍に前記車両が到着するまでの予想運行時間長を修正する運行時間調整部（旅行時間管理部２５、Ｓ０１、Ｓ０２、Ｓ１１〜Ｓ１７）と、
を備えた車載システム。
【０１０７】
［２］  前記運行時間調整部は、修正前の前記予想運行時間長が前記再生時間長よりも短い場合には、少なくとも前記車両の現在地からの運行開始初期における運行基準速度を標準状態に比べて下げるように自動調整する（Ｓ０１）、
ことを特徴とする上記［１］に記載の車載システム。
【０１０８】
［３］  前記運行時間算出部は、前記車両の運行状況変化に合わせて前記予想運行時間長を少なくとも定期的に再計算し、
前記運行時間調整部は、前記運行時間算出部による再計算の結果を前記自動運転機能の車速制御に随時反映する（Ｓ０２、Ｓ１１〜Ｓ１９）、
ことを特徴とする上記［１］又は［２］に記載の車載システム。
【０１０９】
［４］  前記運行時間調整部は、ある運行区間で速度規制および渋滞発生が見込まれない場合は、少なくとも法定速度に基づいて定めた上限速度（ＶＵ１）と下限速度（ＶＬ２）との間の範囲内で前記車速制御の基準車速（設定車速ＳＰ＿１、ＳＰ＿２）を調整する（Ｓ１２〜Ｓ１７）、
ことを特徴とする上記［１］乃至［３］のいずれかに記載の車載システム。
【０１１０】
［５］  前記運行時間調整部は、前記車両が現在地から前記目的地に到着するまでの間における前記車速制御の基準車速を、事前に定めたパターン変化（ＰＴ２Ａ、ＰＴ２Ｂ、ＰＴ２Ｃ）に従って更新する、
ことを特徴とする上記［１］乃至［４］のいずれかに記載の車載システム。
【０１１１】
［６］  前記運行時間調整部は、前記予想運行時間長が前記再生時間長よりも短い場合に、前記車載機器が目的のコンテンツを再生する際の再生速度を調整し、前記再生時間長を変更する（Ｓ２２）、
ことを特徴とする上記［１］乃至［５］のいずれかに記載の車載システム。
【符号の説明】
【０１１２】
１０  自動運転制御部
１１  無線通信機器
１２  道路地図データベース
１３  位置検出部
１４  車載カメラ
１５  レーダ
１６  アクセル制御部
１７  ブレーキ制御部
１８  操舵制御部
２１  操作部
２２  コンテンツ管理部
２３  表示出力デバイス
２４  音出力デバイス
２５  旅行時間管理部
２６  車速設定部
１００  車載システム
ＳＧ１１，ＳＧ１２，ＳＧ１３，ＳＧ１４，ＳＧ１５  入力情報
ＳＧ１６，ＳＧ１７，ＳＧ１８  制御命令
ＳＧ２１  目的地情報
ＳＧ２２  設定車速情報
ＳＧ２３  旅行時間情報
ＳＧ２４  残区間距離情報
ＳＧ２５  残り時間情報
ＳＧ２６，ＳＧ２７  設定車速情報
ＥＱ１  基本計算式
ＥＱ２  条件式
Ｔ０  動画再生時間長
ＳＰ＿１，ＳＰ＿２，ＳＰ＿Ｎ−１，ＳＰ＿Ｎ  設定車速
Ｘ＿１，Ｘ＿２，Ｘ＿Ｎ−１，Ｘ＿Ｎ  区間距離
【図１】
2019158529.tif 000003
【図２】
2019158529.tif 000004
【図３】
2019158529.tif 000005
【図４】
2019158529.tif 000006
【図５】
2019158529.tif 000007
【図６】
2019158529.tif 000008
【図７】
2019158529.tif 000009
【図８】
2019158529.tif 000010